(57)【要約】【課題】分解、収納、運搬に便利であり、現場の需要に応じて組み立てることにより、必要な高さまで伸ばすことができる、Ａ字型梯子を提供する。【解決手段】Ａ字型梯子は、１つの第一梯子１１と１つの第二梯子１２とが頂部で相互に枢着されるように構成される本体、第一梯子１１の底部に組み立て可能な第一延長梯子１３、および、第二梯子１２の底部に組み立て可能な第二延長梯子１４を備える。各第一延長梯子１３及び各第二延長梯子１４はそれぞれの頂部に伸縮式のスリーブ接続部１５１が設けられている。第一梯子１１及び第二梯子１２は、支柱１１１、１２１の底部にスリーブ接続部１５１が挿入可能であるスリーブ接続口１５２が設けられている。第一延長梯子１３及び各第二延長梯子１４は独立して収納且つ運搬可能である。【選択図】図１
0003201492.tif 000002
【実用新案登録請求の範囲】
【請求項１】
１つの第一梯子と１つの第二梯子とを有し、前記第一梯子の頂部と前記第二梯子の頂部とが相対回転可能に接続されている本体と、
前記第一梯子の底部に組み立て可能である少なくとも１つの第一延長梯子と、
前記第二梯子の底部に組み立て可能である少なくとも１つの第二延長梯子と、を備え、
前記第一梯子及び前記第二梯子は、それぞれ、相対配置されている２つの支柱、および、２つの当該支柱の間に連結されている複数の踏桟を有し、前記第一梯子における２つの支柱が前記第二梯子における２つの支柱の内側に回転可能に接続されており、
前記第一延長梯子及び前記第二延長梯子は、それぞれ、相対配置されている２つの支柱、および、２つの当該支柱の間に連結されている複数の踏桟を有し、前記第一延長梯子における２つの支柱が前記第一梯子における２つの支柱にスリーブ接続可能であり、前記第二延長梯子における２つの支柱が前記第二梯子における２つの支柱にスリーブ接続可能であり、
前記第一延長梯子における支柱及び前記第二延長梯子における支柱は、それぞれの頂部に、伸縮式のスリーブ接続部が設けられており、
前記第一梯子における支柱及び前記第二梯子における支柱は、それぞれの底部に、前記スリーブ接続部が挿入可能であるスリーブ接続口が設けられていることを特徴とする、Ａ字型梯子。
【請求項２】
前記第一延長梯子及び前記第二延長梯子における支柱は、それぞれの底部に、他の支柱のスリーブ接続部が挿入可能であるスリーブ接続口が設けられていることを特徴とする、請求項１に記載のＡ字型梯子。
【請求項３】
複数の固定具をさらに備え、
前記第一延長梯子における支柱及び前記第二延長梯子における支柱は、頂部において、前記スリーブ接続部を横方向に貫通する内付け嵌合孔が設けられており、
前記第一梯子における支柱及び前記第二梯子における支柱は、底部において、前記スリーブ接続口を横方向に貫通し、且つ前記内付け嵌合孔に対応する外付け嵌合孔が設けられており、
複数の前記固定具は、前記スリーブ接続部と前記スリーブ接続口とのスリーブ接続により合わせられた前記外付け嵌合孔及び前記内付け嵌合孔を貫通することを特徴とする、請求項１に記載のＡ字型梯子。
【請求項４】
複数の固定具をさらに備え、
前記第一延長梯子における支柱及び前記第二延長梯子における支柱は、頂部において、前記スリーブ接続部を横方向に貫通する内付け嵌合孔が設けられており、
前記第一梯子における支柱及び前記第二梯子における支柱は、底部において、前記スリーブ接続口を横方向に貫通し、且つ前記内付け嵌合孔に対応する外付け嵌合孔が設けられており、
前記第一延長梯子における支柱及び前記第二延長梯子における支柱は、底部において、他の支柱におけるスリーブ接続部が挿入可能であるスリーブ接続口が設けられており、当該スリーブ接続口を横方向に貫通する外付け嵌合孔が設けられており、
複数の前記固定具は、前記スリーブ接続部と前記スリーブ接続口とのスリーブ接続により合わせられた前記外付け嵌合孔及び前記内付け嵌合孔を貫通することを特徴とする、請求項１に記載のＡ字型梯子。
【請求項５】
４つの滑り止めパッドをさらに備え、
前記滑り止めパッドは、頂部において、前記スリーブ接続口に挿入可能な栓体が設けられていることを特徴とする、請求項１に記載のＡ字型梯子。
【請求項６】
前記第一梯子の支柱及び前記第二梯子の支柱の間に折畳み式の開き止め具が少なくとも１つ設けられていることを特徴とする、請求項１に記載のＡ字型梯子。
【請求項７】
前記第一延長梯子及び前記第二延長梯子は、支柱の頂部に設けられているスリーブ接続部と支柱とが、一体に形成されていることを特徴とする、請求項１から６のいずれか一項に記載のＡ字型梯子。
【請求項８】
前記第一延長梯子及び前記第二延長梯子は、支柱頂部に設けられているスリーブ接続部と支柱とが、別体に形成されていることを特徴とする、請求項１から６のいずれか一項に記載のＡ字型梯子。
【請求項９】
前記固定具はボルトであることを特徴とする、請求項３又は４に記載のＡ字型梯子。
【請求項１０】
前記滑り止めパッドは、前記栓体を横方向に貫通し、且つ前記外付け嵌合孔に対応している内付け嵌合孔がすくなくとも１つ有することを特徴とする、請求項５に記載のＡ字型梯子。
【請求項１１】
前記スリーブ接続部及び前記スリーブ接続口は、方形断面を有することを特徴とする、請求項１〜６のいずれか一項に記載のＡ字型梯子。
【請求項１２】
前記スリーブ接続部及び前記スリーブ接続口は、円形断面を有することを特徴とする、請求項１〜６のいずれか一項に記載のＡ字型梯子。
【請求項１３】
前記第一梯子、前記第二梯子、前記第一延長梯子、および前記第二延長梯子は、相対配置されている２つの支柱の間の距離が、頂部から底部まで一致である、或いは、頂部から底部まで徐々に拡大していくことを特徴とする、請求項１から６のいずれか一項に記載のＡ字型梯子。
【請求項１４】
１つの第一梯子と１つの第二梯子とを有し、前記第一梯子の頂部と前記第二梯子の頂部とが回転可能に接続されている本体と、
前記第一梯子の底部に組み立て可能な第一延長梯子と、
前記第二梯子の底部に組み立て可能な第二延長梯子と、
４つの滑り止めパッドと、
複数の固定具と、
前記第一梯子の支柱と前記第二梯子の支柱との間に連結されている折畳み式の開き止め具と、を備え、
前記第一梯子及び前記第二梯子は、それぞれ、相対配置されている２つの支柱、および、２つの当該支柱の間に連結されている複数の踏桟を有し、前記第一梯子における２つの支柱が前記第二梯子における２つの支柱の内側に回転可能に接続されており、
前記第一延長梯子及び前記第二延長梯子は、それぞれ、相対配置されている２つの支柱、および、２つの当該支柱の間に連結されている複数の踏桟を有し、前記第一延長梯子における２つの支柱が前記第一梯子における２つの支柱にスリーブ接続可能であり、前記第二延長梯子におけ２つの支柱が前記第二梯子における２つの支柱にスリーブ接続可能であり、
前記第一延長梯子の支柱及び前記第二延長梯子の支柱は、頂部に伸縮式のスリーブ接続部が設けられており、
前記第一梯子の支柱及び前記第二梯子の支柱は、底部に前記スリーブ接続部が挿入可能であるスリーブ接続口が設けられており、
前記第一延長梯子の支柱及び前記第二延長梯子の支柱は、頂部において、前記スリーブ接続部を横方向に貫通する内付け嵌合孔が形成されており、
前記第一梯子の支柱及び前記第二梯子の支柱は、底部において、前記スリーブ接続口を横方向に貫通し、且つ前記内付け嵌合孔に対応する外付け嵌合孔が形成されており、
前記第一延長梯子の支柱及び前記第二延長梯子の支柱は、底部において、別の支柱におけるスリーブ接続部が挿入可能であるスリーブ接続口が設けられており、当該スリーブ接続口を横方向に貫通する外付け嵌合孔が形成されており、
前記滑り止めパッドは、頂部において、前記スリーブ接続口に挿入可能な栓体が設けられており、
前記栓体は、当該栓体を横方向に貫通し、且つ前記外付け嵌合孔に対応する内付け嵌合孔が形成されており、
前記固定具は、前記スリーブ接続部と前記スリーブ接続口とのスリーブ接続により合わせられた前記外付け嵌合孔及び前記内付け嵌合孔を貫通し、前記滑り止めパッドの栓体と前記第一延長梯子の支柱及び前記第二延長梯子の支柱における前記スリーブ接続口とのスリーブ接続により合わせられた前記外付け嵌合孔及び前記内付け嵌合孔を貫通することを特徴とするＡ字型梯子。
【考案の詳細な説明】
【技術分野】
【０００１】
本考案は、作業用梯子に関し、特にＡ字型梯子に関する。
【背景技術】
【０００２】
「作業用梯子」は、文字通りに、主な機能として使用者が高所作業の際に高いところに上り、収納、検査、およびリフォーム等の作業を行うために用いられ、その種類と材質は多岐にわたり、例えば材質に関しては竹、木、スチール、合金等が使用されるが、作業現場で速やかに移動し、且つ荷重の支持に充分な強度を備えるため、一般的な作業用梯子はＡ字型の閉じ合わせる構造を採用している。
【０００３】
従来のＡ字型梯子は基本的に２組の梯子が頂部で相互に枢着されるように構成され、さらに折畳み式の開き止め具で２組の梯子の展開角度を限定する。使用時には２組の梯子を展開することにより、三角錐状の構造を形成し、使用者は梯子の踏桟を踏んで関連する作業をこなすことができる。使用後、２組の梯子を相互に折り畳んで閉じ合わせることができるため、携帯・収納・運搬の利便性と実用性を兼ね備え、各業界で広く使われている。
【０００４】
しかしながら、現在既存の工事請負業者の多くは、決まった営業拠点に必要な器具や機材を保管し、お客様の依頼に応じてそれらの器具や機材を作業員とともに工事現場に送り込むようにしているため、折り畳んで閉じ合わせ可能な梯子であっても、高さを必要に応じて適切に調整することができず、高さの低い梯子を選んだ場合、実際の需要を満たすことができない、或いはその逆の場合には高い梯子が運搬道具に収納しきれずに不便をもたらす可能性がある。
【考案の概要】
【考案が解決しようとする課題】
【０００５】
本考案は、分解、収納、および運搬に便利であり、現場の需要に応じて組み立てることにより必要な高さまで伸びることが可能である、Ａ字型梯子を提供することを目的とする。
【課題を解決するための手段】
【０００６】
本考案によるＡ字型梯子は、１つの第一梯子と１つの第二梯子とを有し第一梯子の頂部と第二梯子の頂部とが相対回転可能に接続されている本体と、第一梯子の底部に組み立て可能である少なくとも１つの第一延長梯子と、第二梯子の底部に組み立て可能である少なくとも１つの第二延長梯子と、を備える。
第一梯子及び第二梯子は、それぞれ、相対配置されている２つの支柱、および、２つの当該支柱の間に連結されている複数の踏桟を有し、第一梯子における２つの支柱が第二梯子における２つの支柱の内側に回転可能に接続されている。
第一延長梯子及び第二延長梯子は、それぞれ、相対配置されている２つの支柱、および、２つの当該支柱の間に連結されている複数の踏桟を有し、第一延長梯子における２つの支柱が第一梯子における２つの支柱にスリーブ接続可能であり、第二延長梯子における２つの支柱が第二梯子における２つの支柱にスリーブ接続可能である。
第一延長梯子における支柱及び第二延長梯子における支柱は、それぞれの頂部に、伸縮式のスリーブ接続部が設けられている。
第一梯子における支柱及び第二梯子における支柱は、それぞれの底部に、スリーブ接続部が挿入可能であるスリーブ接続口が設けられている。
【０００７】
本考案のＡ字型梯子は、１つの第一梯子の頂部と１つの第二梯子の頂部とが相対回転可能に接続するように構成され、第一梯子の底部に組み立て可能な第一延長梯子、および、第二梯子の底部に組み立て可能な第二延長梯子を備える。第一延長梯子及び第二延長梯子は、それぞれの支柱の頂部に伸縮式のスリーブ接続部が設けられている。第一梯子及び第二梯子は、それぞれの支柱の底部にスリーブ接続部が挿入可能であるスリーブ接続口が設けられている。第一延長梯子及び第二延長梯子は、独立して、収納かつ運搬可能である。第一延長梯子および第二延長梯子を、第一梯子および第二梯子の底部に組み立てることにより、段差のある作業現場で使用し、Ａ字型梯子を必要な高さまで伸ばすことができる。
【０００８】
第一延長梯子及び第二延長梯子における支柱は、それぞれの底部に、他の支柱のスリーブ接続部が挿入可能であるスリーブ接続口が設けられている。
複数の固定具をさらに備える。第一延長梯子における支柱及び第二延長梯子における支柱は、頂部において、スリーブ接続部を横方向に貫通する内付け嵌合孔が設けられている。第一梯子における支柱及び第二梯子における支柱は、底部において、スリーブ接続口を横方向に貫通し、且つ内付け嵌合孔に対応する外付け嵌合孔が設けられている。複数の固定具は、スリーブ接続部とスリーブ接続口とのスリーブ接続により合わせられた外付け嵌合孔及び内付け嵌合孔を貫通する。
【０００９】
複数の固定具をさらに備える。第一延長梯子における支柱及び第二延長梯子における支柱は、頂部において、スリーブ接続部を横方向に貫通する内付け嵌合孔が設けられている。第一梯子における支柱及び第二梯子における支柱は、底部において、スリーブ接続口を横方向に貫通し、且つ内付け嵌合孔に対応する外付け嵌合孔が設けられている。第一延長梯子における支柱及び第二延長梯子における支柱は、底部において、他の支柱におけるスリーブ接続部が挿入可能であるスリーブ接続口が設けられており、当該スリーブ接続口を横方向に貫通する外付け嵌合孔が設けられている。複数の固定具は、スリーブ接続部とスリーブ接続口とのスリーブ接続により合わせられた外付け嵌合孔及び内付け嵌合孔を貫通する。
【００１０】
４つの滑り止めパッドをさらに備える。滑り止めパッドは、頂部において、スリーブ接続口に挿入可能な栓体が設けられている。
第一梯子の支柱及び第二梯子の支柱の間に折畳み式の開き止め具が少なくとも１つ設けられている。
第一延長梯子及び第二延長梯子は、支柱の頂部に設けられているスリーブ接続部と支柱とが、一体に形成されている。または、第一延長梯子及び第二延長梯子は、支柱頂部に設けられているスリーブ接続部と支柱とが、別体に形成されている。
【００１１】
固定具はボルトである。
滑り止めパッドは、栓体を横方向に貫通し、且つ外付け嵌合孔に対応している内付け嵌合孔がすくなくとも１つ有する。
スリーブ接続部及びスリーブ接続口は、方形断面を有する。
スリーブ接続部及びスリーブ接続口は、円形断面を有する。
第一梯子、第二梯子、第一延長梯子、および第二延長梯子は、相対配置されている２つの支柱の間の距離が、頂部から底部まで一致である、或いは、頂部から底部まで徐々に拡大していく。
【００１２】
また、本考案によるＡ字型梯子は、１つの第一梯子と１つの第二梯子とを有し第一梯子の頂部と第二梯子の頂部とが回転可能に接続されている本体と、第一梯子の底部に組み立て可能な第一延長梯子と、第二梯子の底部に組み立て可能な第二延長梯子と、４つの滑り止めパッドと、複数の固定具と、第一梯子の支柱と第二梯子の支柱との間に連結されている折畳み式の開き止め具と、を備える。第一梯子及び第二梯子は、それぞれ、相対配置されている２つの支柱、および、２つの当該支柱の間に連結されている複数の踏桟を有し、第一梯子における２つの支柱が第二梯子における２つの支柱の内側に回転可能に接続されている。第一延長梯子及び第二延長梯子は、それぞれ、相対配置されている２つの支柱、および、２つの当該支柱の間に連結されている複数の踏桟を有し、第一延長梯子における２つの支柱が第一梯子における２つの支柱にスリーブ接続可能であり、第二延長梯子におけ２つの支柱が第二梯子における２つの支柱にスリーブ接続可能である。
【００１３】
第一延長梯子の支柱及び第二延長梯子の支柱は、頂部に伸縮式のスリーブ接続部が設けられている。第一梯子の支柱及び第二梯子の支柱は、底部にスリーブ接続部が挿入可能であるスリーブ接続口が設けられている。第一延長梯子の支柱及び第二延長梯子の支柱は、頂部において、スリーブ接続部を横方向に貫通する内付け嵌合孔が形成されている。第一梯子の支柱及び第二梯子の支柱は、底部において、スリーブ接続口を横方向に貫通し、且つ内付け嵌合孔に対応する外付け嵌合孔が形成されている。第一延長梯子の支柱及び第二延長梯子の支柱は、底部において、別の支柱におけるスリーブ接続部が挿入可能であるスリーブ接続口が設けられており、当該スリーブ接続口を横方向に貫通する外付け嵌合孔が形成されている。滑り止めパッドは、頂部において、スリーブ接続口に挿入可能な栓体が設けられている。栓体は、当該栓体を横方向に貫通し、且つ外付け嵌合孔に対応する内付け嵌合孔が形成されている。固定具は、スリーブ接続部とスリーブ接続口とのスリーブ接続により合わせられた外付け嵌合孔及び内付け嵌合孔を貫通し、滑り止めパッドの栓体と第一延長梯子の支柱及び第二延長梯子の支柱におけるスリーブ接続口とのスリーブ接続により合わせられた外付け嵌合孔及び内付け嵌合孔を貫通する。
【００１４】
本考案のＡ字型梯子は、１つの第一梯子の頂部と１つの第二梯子の頂部とが相対回転可能に接続するように構成され、第一梯子の底部に組み立て可能な第一延長梯子、および、第二梯子の底部に組み立て可能な第二延長梯子を備える。第一延長梯子及び第二延長梯子は、それぞれの支柱の頂部に伸縮式のスリーブ接続部が設けられている。第一梯子及び第二梯子は、それぞれの支柱の底部にスリーブ接続部が挿入可能であるスリーブ接続口が設けられている。第一延長梯子及び第二延長梯子は、独立して、収納かつ運搬可能である。第一延長梯子および第二延長梯子を、第一梯子および第二梯子の底部に組み立てることにより、段差のある作業現場で使用し、Ａ字型梯子を必要な高さまで伸ばすことができる。
【図面の簡単な説明】
【００１５】
【図１】本考案の第一実施形態によるＡ字型梯子を示す分解斜視図である。
【図２】本考案の第一実施形態によるＡ字型梯子を示す分解斜視図である。
【図３】本考案の第二実施形態によるＡ字型梯子を示す分解斜視図である。
【図４】本考案の実施形態による第一、第二梯子の枢着構造を示す平面図である。
【図５】本考案の実施形態による第一、第二梯子の閉じ合わせた状態を示す平面図である。
【図６】本考案の第三実施形態によるＡ字型梯子の構造を示す分解斜視図である。
【図７】本考案の第四実施形態によるＡ字型梯子の構造を示す分解斜視図である。
【考案を実施するための形態】
【００１６】
本考案の実施形態によるＡ字型梯子を図面に基づいて説明する。図１から図５までに示したように本考案の第一実施形態および第二実施形態によるＡ字型梯子は、本体が基本的に１つの第一梯子１１と１つの第二梯子１２とが頂部で相互に枢着されるように構成され、第一梯子１１及び第二梯子１２はそれぞれ２つの相対配置された支柱１１１、１２１の間に複数の踏桟１１２、１２２を連結している。本考案の要点は以下の内容を含む。第一梯子１１における２つの支柱１１１が、第二梯子１２における２つの支柱１２１の内側に相対的に枢着されるため（図４を参照）、第一梯子１１における第一支柱１１１を第二梯子１２における第二支柱１２１の内側に完全に折り畳んで閉じ合わせる（図５を参照）ことにより、折り畳んだ第一梯子１１及び第二梯子１２の体積を大幅に減らし、且つ該第一梯子１１の最上部における踏桟１１２に使用者の足場となる１つの大面積の平板（図省略）をさらに設けるか、或いは第一梯子１１と第二梯子１２に対応する支柱１１１、１２１の間に折れ式の開き止め具２０をそれぞれ連結することにより、Ａ字型梯子全体の実用性及び安全性を高めることができる。
【００１７】
本考案のＡ字型梯子は第一梯子１１の底部に組み立て可能な第一延長梯子１３を最低１つ、並びに第二梯子１２の底部に組み立て可能な第二延長梯子１４を最低１つ備えており、各第一延長梯子１３及び各第二延長梯子１４はそれぞれ２つの相対配置された支柱１３１、１４１の間に複数の踏桟１３２、１４２を連結している。各第一延長梯子１３における２つの支柱１３１は第一梯子１１における２つの支柱１１１に対応して同時にスリーブ接続し、各第二延長梯子１４における２つの支柱１４１は第二梯子１２における２つの支柱１２１に対応してスリーブ接続し、さらに図２、図３に示すように、該２つの相対配置された支柱１１１、１２１もしくは１３１、１４１は上端から下端まで距離が一致するように、或いは徐々に拡大していくように配置することができる。
【００１８】
各第一延長梯子１３及び各第二延長梯子１４はそれぞれの頂部に伸縮式のスリーブ接続部１５１を設けて成り、第一梯子１１及び第二梯子１２はそれぞれ支柱１１１、１２１の底部に該スリーブ接続部１５１に対応して挿入可能なスリーブ接続口１５２を設けて成り、さらに、各第一延長梯子１３及び各第二延長梯子１４はそれぞれの支柱１３１、１４１の頂部にスリーブ接続部１５１を横方向に貫設した内付け嵌合孔１５３を最低１つ設けて成り、第一梯子１１及び第二梯子１２はそれぞれの支柱１１１、１２１の底部にスリーブ接続口１５２を横方向に貫設し、且つ内付け嵌合孔１５３に合わせる外付け嵌合孔１５４を最低１つ設けて成る。そして、複数の固定具３０は２本の支柱におけるスリーブ接続部１５１及びスリーブ接続口１５２が相互にスリーブ接続して合わせる外付け嵌合孔１５４と内付け嵌合孔１５３との間にそれぞれ貫設することに供する。
【００１９】
第一延長梯子１３及び第二延長梯子１４における支柱１３１、１４１の頂部にそれぞれ設けられたスリーブ接続部１５１は、第一延長梯子１３の支柱１３１および第二延長梯子１４の支柱１４１と一体に形成されている。また、第一延長梯子及び第二延長梯子における支柱の頂部に設けられたスリーブ接続部は、個別の部品として、第一延長梯子１３の支柱１３１および第二延長梯子１４の支柱１４１の頂部に取り付けることも可能である。
【００２０】
本考案のＡ字型梯子は、基本的に第一、第二延長梯子の支柱が第一、第二梯子の支柱に対応してスリーブ接続されていない状態（すなわち第一、第二延長梯子が第一、第二梯子に組み立てられて結合されていない状態）において、各第一延長梯子及び各第二延長梯子は独立して収納や運搬ができ、且つ第一梯子１１の第一支柱１１１を第二梯子１２の第二支柱１２１の内側に的確に折り畳んで閉じ合わせる（図５を参照）ことが可能であるため、折り畳んだ第一梯子１１及び第二梯子１２の体積を大幅に縮ませることにより、Ａ字型梯子全体の収納性と利便性だけでなく、運搬時の機動性も相対的に増す。
【００２１】
本考案のＡ字型梯子は、使用時に実際の需要に応じて第一梯子１１及び第二梯子１２を直接展開して使うか、又は第一延長梯子１３及び第二延長梯子１４の組合せを展開して使うか、又は第一延長梯子１３及び第二延長梯子１４における支柱１３１、１４１と第一梯子１１及び第二梯子１２における支柱１１１、１２１とを相互にスリーブ接続し、固定具３０を２本の支柱におけるスリーブ接続部１５１及びスリーブ接続口１５２が相互にスリーブ接続して合わせる外付け嵌合孔１５４と内付け嵌合孔１５３との間にそれぞれ貫設するとなおさら良いが、これにより、第一延長梯子１３及び第二延長梯子１４が第一梯子１１及び第二梯子１２の底部にしっかりと組み立てられるため、Ａ字型梯子を必要な高さまで伸ばし、様々な作業現場の需要を満たすことができる。
【００２２】
本考案のＡ字型梯子は、実施時に各第一延長梯子１３及び各第二延長梯子１４は、それぞれの支柱１３１、１４１の底部にもう一方の支柱（もう一方の第一、第二延長梯子の支柱）におけるスリーブ接続部１５１に対応して挿入可能なスリーブ接続口１５２を１つずつ設けて成り、該各第一延長梯子１３及び該各第二延長梯子１４は、それぞれの支柱１３１、１４１の底部に該スリーブ接続口１５２を横方向に貫設し、且つ内付け嵌合孔１５３に合わせる外付け嵌合孔１５４を最低１つずつ設けて成る。
【００２３】
そこで、本考案のＡ字型梯子は、さらに長さの異なる複数の第一延長梯子及び第二延長梯子を備え付ければ、その中から適切な長さの第一、第二延長梯子を選んで、第一、第二梯子の底部に組み立てることにより、Ａ字型梯子全体を適切な高さまで伸ばすか、もしくは長さの異なる第一、第二延長梯子を第一、第二梯子に組み立てることにより、段差のある作業現場で使用する。
【００２４】
なお、図６、７に示すように、本考案の第三実施形態および第四実施形態によるＡ字型梯子は、さらに４つの滑り止めパッド１６を備えることが可能で、各滑り止めパッド１６の頂部にはスリーブ接続口１５２に対応して挿入可能な栓体１６１を１つずつ設けて成るため、使用時に、各滑り止めパッド１６をそれぞれＡ字型梯子の最下部における支柱（図に示したように、第一延長梯子１３及び第二延長梯子１４の支柱１３１、１４１）の底部に取り付けることにより、支柱と地面との摩擦力を増幅させ、Ａ字型梯子全体の安全性を向上させる。
【００２５】
各滑り止めパッド１６はさらに栓体１６１に、該栓体１６１を横方向に貫設し、且つ外付け嵌合孔１５４に合わせる内付け嵌合孔１５３を最低１つ設けることが可能で、これにより各滑り止めパッド１６における栓体１６１をスリーブ接続口１５２の定位置まで的確に嵌め込むことができ、さらに固定具３０により、滑り止めパッドを的確に取り付けて固定させる。
【００２６】
図１、２に示す第一実施形態の中で、言及された各支柱（第一、第二梯子１１、１２の支柱１１１、１２１及び第一、第二延長梯子１３、１４の支柱１３１、１４１を含む）のスリーブ接続部１５１及び各支柱（第一、第二梯子１１、１２の支柱１１１、１２１及び第一、第二延長梯子１３、１４の支柱１３１、１４１を含む）のスリーブ接続口１５２は、方形断面を呈す。実施時には、各支柱（第一、第二梯子１１、１２の支柱１１１、１２１及び第一、第二延長梯子１３、１４の支柱１３１、１４１を含む）のスリーブ接続部１５１及び各支柱（第一、第二梯子１１、１２の支柱１１１、１２１及び第一、第二延長梯子１３、１４の支柱１３１、１４１を含む）のスリーブ接続口１５２は、図６、７に示したように円形断面を呈すことも可能である。
【００２７】
前記の技術内容に基づいて、本考案のＡ字型梯子は具体的に実施する際、比較的に良い実施形態としての本体は同じく、１つの第一梯子１１と１つの第二梯子１２とが頂部で相互に枢着されるように構成され、第一梯子１１及び第二梯子１２はそれぞれ２つの相対配置された支柱１１１、１２１の間に複数の踏桟１１２、１２２を連結している。本考案のＡ字型梯子は特徴として、第一梯子１１の底部に組み立て可能な第一延長梯子１３を最低１つ、第二梯子１２の底部に組み立て可能な第二延長梯子１４を最低１つ、４つの滑り止めパッド１６、並びに複数の固定具３０を有することである。第一梯子１１における２つの第一支柱１１１は第二梯子１２における２つの第二支柱１２１の内側に相対的に枢着され、第一梯子１１及び第二梯子１２に対応する支柱１１１、１２１の間にそれぞれ１つの折畳み式の開き止め具２０を連結している。
【００２８】
各第一延長梯子１３及び各第二延長梯子１４はそれぞれ２つの相対配置された支柱１３１、１４１の間に複数の踏桟１３２、１４２を連結している。各第一延長梯子１３における２つの支柱１３１は第一梯子１１における２つの支柱１１１に対応して同時にスリーブ接続し、各第二延長梯子１４における２つの支柱１４１は第二梯子１２における２つの支柱１２１に対応して同時にスリーブ接続することができる。
【００２９】
各第一延長梯子１３及び各第二延長梯子１４はそれぞれの頂部に伸縮式のスリーブ接続部１５１を設けて成り、第一梯子１１及び第二梯子１２はそれぞれ支柱１１１、１２１の底部に該スリーブ接続部１５１に対応して挿入可能なスリーブ接続口１５２を設けて成る。各第一延長梯子１３及び各第二延長梯子１４はそれぞれの支柱１３１、１４１の頂部にスリーブ接続部１５１を横方向に貫設した内付け嵌合孔１５３を最低１つ設けて成り、第一梯子１１と第二梯子１２はそれぞれの支柱１１１、１２１の底部にスリーブ接続口１５２を横方向に貫設し、且つ内付け嵌合孔１５３に合わせる外付け嵌合孔１５４を最低１つ設けて成る。
【００３０】
各第一延長梯子１３及び各第二延長梯子１４は支柱１３１、１４１の底部にもう一方の支柱におけるスリーブ接続部１５１に対応して挿入可能なスリーブ接続口１５２を１つずつ設けて成り、各第一延長梯子１３及び各第二延長梯子１４は支柱１３１、１４１の底部にスリーブ接続口１５２を横方向に貫設し、且つ内付け嵌合孔１５３に合わせる外付け嵌合孔１５４を最低１つずつ設けて成る。
【００３１】
各滑り止めパッド１６の頂部にはスリーブ接続口１５２に対応して挿入可能な栓体１６１を１つ設けており、さらに栓体１６１に、該栓体１６１を横方向に貫設し、且つ外付け嵌合孔１５４に合わせる内付け嵌合孔１５３を最低１つ設けている。一方、各固定具３０は２本の支柱におけるスリーブ接続部１５１とスリーブ接続口１５２とが相互にスリーブ接続して合わせる外付け嵌合孔１５４及び内付け嵌合孔１５３の間、並びに各滑り止めパッド１６における栓体１６１と支柱におけるスリーブ接続口１５２とが相互にスリーブ接続して合わせる外付け嵌合孔１５４及び内付け嵌合孔１５３の間にそれぞれ貫設することに供する。
【００３２】
本考案のＡ字型梯子は、具体的に説明すると、第一、第二延長梯子が第一、第二梯子に組み立てられて結合されていない状態において、各第一延長梯子及び各第二延長梯子は独立して収納や運搬ができる。使用時に実際の需要に応じて第一、第二梯子を直接展開して使うか、又は第一延長梯子１３及び第二延長梯子１４の組合せを展開して使うか、又は第一、第二延長梯子を第一、第二梯子の底部に組み立てることにより、Ａ字型梯子を必要な長さまで伸ばす。さらに、長さの異なる複数の第一延長梯子及び第二延長梯子を備え付ければ、その中から適切な長さの第一、第二延長梯子を選んで、第一、第二梯子の底部に組み立てることにより、Ａ字型梯子を適切な高さまで伸ばし、様々な作業現場の需要を満たすことができる。
【符号の説明】
【００３３】
１１  第一梯子、
１１１  第一支柱、
１１２  踏桟、
１２  第二梯子、
１２１  第二支柱、
１２２  踏桟、
１３  第一延長梯子、
１３１  支柱、
１３２  踏桟、
１４  第二延長梯子、
１４１  支柱、
１４２  踏桟、
１５１  スリーブ接続部、
１５２  スリーブ接続口、
１５３  内付け嵌合孔、
１５４  外付け嵌合孔、
１６  滑り止めパッド、
１６１  栓体、
２０  折畳み式の開き止め具、
３０  固定具。
【図１】
0003201492.tif 000003
【図２】
0003201492.tif 000004
【図３】
0003201492.tif 000005
【図４】
0003201492.tif 000006
【図５】
0003201492.tif 000007
【図６】
0003201492.tif 000008
【図７】
0003201492.tif 000009